(57)【要約】  無線端末（３０）は、ロングタームエボルーション（ＬＴＥ）コアネットワークとのパケット交換（ＰＳ）サービスに対する登録および／またはセッションを既に有しているときに、広帯域符号分割多重化（ＷＣＤＭＡ）エアインタフェースを介した回線交換（ＣＳ）コアネットワークとの回線交換（ＣＳ）サービスに対する登録を実施するが、回線交換（ＣＳ）サービスに対する登録に関連して、ロングタームエボルーション（ＬＴＥ）コアネットワークとのパケット交換（ＰＳ）サービスに対する登録および／またはセッションを維持する。【選択図】図１Ａ
2013514702.tif 000002
【特許請求の範囲】
【請求項１】
ロングタームエボルーション（ＬＴＥ）コアネットワークとのパケット交換（ＰＳ）サービスに対する登録および／またはセッションを既に有しているときに、広帯域符号分割多重化（ＷＣＤＭＡ）エアインタフェースを介した回線交換（ＣＳ）コアネットワークとの回線交換（ＣＳ）サービスに対する登録を実施するように構成された無線端末（３０）において、前記回線交換（ＣＳ）サービスに対する前記登録に関連して、前記ロングタームエボルーション（ＬＴＥ）コアネットワークとのパケット交換（ＰＳ）サービスに対する前記登録および／またはセッションを維持するように構成されていることを特徴とする無線端末（３０）。
【請求項２】
前記広帯域符号分割多重化（ＷＣＤＭＡ）エアインタフェースを介した前記回線交換（ＣＳ）コアネットワークとの前記回線交換（ＣＳ）サービスに対する前記登録を実施することに関連して、前記広帯域符号分割多重化（ＷＣＤＭＡ）エアインタフェースを介したパケット交換（ＰＳ）コアネットワークとのパケット交換（ＰＳ）サービスに対する登録を実施するのを抑制するように構成されている、請求項１に記載の無線端末（３０）。
【請求項３】
前記回線交換（ＣＳ）サービスに対する前記登録に関連して、広帯域符号分割多重化（ＷＣＤＭＡ）パケット交換（ＰＳ）コアネットワークに向けてのルーティングエリア更新の実行を抑制するように構成されている、請求項１に記載の無線端末（３０）。
【請求項４】
回線交換（ＣＳ）が確立されるような時点まで、前記ロングタームエボルーション（ＬＴＥ）コアネットワークとのパケット交換（ＰＳ）サービスに対する前記登録および／またはセッションを維持するように構成されている、請求項１に記載の無線端末（３０）。
【請求項５】
回線交換（ＣＳ）が確立されたときに、広帯域符号分割多重化（ＷＣＤＭＡ）パケット交換（ＰＳ）コアネットワークに向けてのルーティングエリア更新を実行するように構成されている、請求項１に記載の無線端末（３０）。
【請求項６】
前記回線交換（ＣＳ）サービスに対する前記登録を実施するように構成されたメッセージを前記エアインタフェースを介して伝達するように配置された通信インタフェース（４０）と、
前記ロングタームエボルーション（ＬＴＥ）コアネットワークとのパケット交換（ＰＳ）サービスに対する前記登録および／またはセッションを維持するとともに、広帯域符号分割多重化（ＷＣＤＭＡ）エアインタフェースを介した前記回線交換（ＣＳ）コアネットワークとの前記回線交換（ＣＳ）サービスに対する前記登録を実施するように構成されたモビリティマネージメントユニットと
を備える、請求項１に記載の無線端末（３０）。
【請求項７】
無線端末（３０）を操作する方法であって、
ロングタームエボルーション（ＬＴＥ）コアネットワークとのパケット交換（ＰＳ）サービスに対する登録および／またはセッションを既に有しているときに、広帯域符号分割多重化（ＷＣＤＭＡ）エアインタフェースを介した回線交換（ＣＳ）コアネットワークとの回線交換（ＣＳ）サービスに対する登録を実施することを含む方法において、
前記回線交換（ＣＳ）サービスに対する前記登録に関連して、前記ロングタームエボルーション（ＬＴＥ）コアネットワークとのパケット交換（ＰＳ）サービスに対する前記登録および／またはセッションを維持する
ことを特徴とする方法。
【請求項８】
前記広帯域符号分割多重化（ＷＣＤＭＡ）エアインタフェースを介した前記回線交換（ＣＳ）コアネットワークとの前記回線交換（ＣＳ）サービスに対する前記登録を実施することに関連して、前記無線端末（３０）が、前記広帯域符号分割多重化（ＷＣＤＭＡ）エアインタフェースを介したパケット交換（ＰＳ）コアネットワークとのパケット交換（ＰＳ）サービスに対する登録を実施するのを抑制することをさらに含む、請求項７に記載の方法。
【請求項９】
前記回線交換（ＣＳ）サービスに対する前記登録に関連して、前記無線端末（３０）が、広帯域符号分割多重化（ＷＣＤＭＡ）パケット交換（ＰＳ）コアネットワークに向けてのルーティングエリア更新の実行を抑制することをさらに含む、請求項７に記載の方法。
【請求項１０】
前記回線交換（ＣＳ）サービスに対する前記登録に関連して、前記無線端末（３０）が、広帯域符号分割多重化（ＷＣＤＭＡ）パケット交換（ＰＳ）コアネットワークに向けての結合ロケーションエリア（ＬＡ）／ルーティングエリア（ＲＡ）更新の実行を抑制し、その代わりに、前記広帯域符号分割多重化（ＷＣＤＭＡ）パケット交換（ＰＳ）コアネットワークに向けてのロケーションエリア（ＬＡ）更新を実行することをさらに含む、請求項７に記載の方法。
【請求項１１】
回線交換（ＣＳ）が確立されるような時点まで、前記無線端末（３０）が、前記ロングタームエボルーション（ＬＴＥ）コアネットワークとのパケット交換（ＰＳ）サービスに対する前記登録および／またはセッションを維持することをさらに含む、請求項７に記載の方法。
【請求項１２】
回線交換（ＣＳ）が確立されたときに、前記無線端末（３０）が、広帯域符号分割多重化（ＷＣＤＭＡ）パケット交換（ＰＳ）コアネットワークに向けてのルーティングエリア更新を実行することをさらに含む、請求項７に記載の方法。
【請求項１３】
ロングタームエボルーション（ＬＴＥ）コアネットワークと、
回線交換（ＣＳ）コアネットワークと、
前記ロングタームエボルーション（ＬＴＥ）コアネットワークとのパケット交換（ＰＳ）サービスに対する登録および／またはセッションを既に有しているときに、広帯域符号分割多重化（ＷＣＤＭＡ）エアインタフェースを介した前記回線交換（ＣＳ）コアネットワークとの回線交換（ＣＳ）サービスに対する登録を実施するように構成された無線端末（３０）と
を備える通信ネットワークにおいて、
前記回線交換（ＣＳ）サービスに対する前記登録に関連して、前記ロングタームエボルーション（ＬＴＥ）コアネットワークとのパケット交換（ＰＳ）サービスに対する前記登録および／またはセッションを維持するように、前記無線端末が構成されている
ことを特徴とする通信ネットワーク。
【請求項１４】
前記広帯域符号分割多重化（ＷＣＤＭＡ）エアインタフェースを介した前記回線交換（ＣＳ）コアネットワークとの前記回線交換（ＣＳ）サービスに対する前記登録を実施することに関連して、前記広帯域符号分割多重化（ＷＣＤＭＡ）エアインタフェースを介したパケット交換（ＰＳ）コアネットワークとのパケット交換（ＰＳ）サービスに対する登録を実施するのを抑制するように、前記無線端末（３０）が構成されている、請求項１３に記載のネットワーク。
【請求項１５】
前記回線交換（ＣＳ）サービスに対する前記登録に関連して、広帯域符号分割多重化（ＷＣＤＭＡ）パケット交換（ＰＳ）コアネットワークに向けてのルーティングエリア更新の実行を抑制するように、前記無線端末（３０）が構成されている、請求項１３に記載のネットワーク。
【請求項１６】
前記回線交換（ＣＳ）サービスに対する前記登録に関連して、広帯域符号分割多重化（ＷＣＤＭＡ）パケット交換（ＰＳ）コアネットワークに向けての結合ロケーションエリア（ＬＡ）／ルーティングエリア（ＲＡ）更新の実行を抑制し、その代わりに、前記広帯域符号分割多重化（ＷＣＤＭＡ）パケット交換（ＰＳ）コアネットワークに向けてのロケーションエリア（ＬＡ）更新を実行するように、前記無線端末（３０）が構成されている、請求項１３に記載のネットワーク。
【請求項１７】
回線交換（ＣＳ）が確立されるような時点まで、前記ロングタームエボルーション（ＬＴＥ）コアネットワークとのパケット交換（ＰＳ）サービスに対する前記登録および／またはセッションを維持するように、前記無線端末（３０）が構成されている、請求項１３に記載のネットワーク。
【請求項１８】
回線交換（ＣＳ）が確立されたときに、広帯域符号分割多重化（ＷＣＤＭＡ）パケット交換（ＰＳ）コアネットワークに向けてのルーティングエリア更新を実行するように、前記無線端末（３０）が構成されている、請求項１３に記載のネットワーク。
【請求項１９】
前記無線端末（３０）が、
前記回線交換（ＣＳ）サービスに対する前記登録を実施するように構成されたメッセージを前記エアインタフェースを介して伝達するように配置された通信インタフェース（４０）と、
前記ロングタームエボルーション（ＬＴＥ）コアネットワークとのパケット交換（ＰＳ）サービスに対する前記登録および／またはセッションを維持するとともに、広帯域符号分割多重化（ＷＣＤＭＡ）エアインタフェースを介した前記回線交換（ＣＳ）コアネットワークとの前記回線交換（ＣＳ）サービスに対する前記登録を実施するように構成されたモビリティマネージメントユニットと
を備える、請求項１３に記載のネットワーク。
【請求項２０】
ロングタームエボルーション（ＬＴＥ）コアネットワークと、回線交換（ＣＳ）コアネットワークと、無線端末（３０）とを備える通信ネットワークを操作する方法であって、
ロングタームエボルーション（ＬＴＥ）コアネットワークとのパケット交換（ＰＳ）サービスに対する登録および／またはセッションを既に有しているときに、広帯域符号分割多重化（ＷＣＤＭＡ）エアインタフェースを介した回線交換（ＣＳ）コアネットワークとの回線交換（ＣＳ）サービスに対する登録を実施することを含む方法において、
前記回線交換（ＣＳ）サービスに対する前記登録に関連して、前記ロングタームエボルーション（ＬＴＥ）コアネットワークとのパケット交換（ＰＳ）サービスに対する前記登録および／またはセッションを維持する
ことを特徴とする方法。
【請求項２１】
前記広帯域符号分割多重化（ＷＣＤＭＡ）エアインタフェースを介した前記回線交換（ＣＳ）コアネットワークとの前記回線交換（ＣＳ）サービスに対する前記登録を実施することに関連して、前記無線端末（３０）が、前記広帯域符号分割多重化（ＷＣＤＭＡ）エアインタフェースを介したパケット交換（ＰＳ）コアネットワークとのパケット交換（ＰＳ）サービスに対する登録の実施を抑制することをさらに含む、請求項２０に記載の方法。
【請求項２２】
前記回線交換（ＣＳ）サービスに対する前記登録に関連して、前記無線端末（３０）が、広帯域符号分割多重化（ＷＣＤＭＡ）パケット交換（ＰＳ）コアネットワークに向けてのルーティングエリア更新の実行を抑制することをさらに含む、請求項２０に記載の方法。
【請求項２３】
回線交換（ＣＳ）が確立されるような時点まで、前記無線端末（３０）が、前記ロングタームエボルーション（ＬＴＥ）コアネットワークとのパケット交換（ＰＳ）サービスに対する前記登録および／またはセッションを維持することをさらに含む、請求項２０に記載の方法。
【請求項２４】
回線交換（ＣＳ）が確立されたときに、前記無線端末（３０）が、広帯域符号分割多重化（ＷＣＤＭＡ）パケット交換（ＰＳ）コアネットワークに向けてのルーティングエリア更新を実行することをさらに含む、請求項２０に記載の方法。
【発明の詳細な説明】
【技術分野】
【０００１】
関連出願
本出願はその優先権を主張し、以下の米国特許仮出願に関連する。これらの仮出願は全て、出願の全体が参照により本明細書に組み込まれている。
【０００２】
２００９年１２月１７日に出願したＭａｇｎｕｓ  Ｏｌｓｓｏｎ他の「ＧＳＭ  ａｎｄ  ＬＴＥ  Ｍｕｌｔｉｐｌｅｘｉｎｇ  Ｓｙｓｔｅｍｓ」という名称の米国特許仮出願第６１／２８７，５７５号
【０００３】
２００９年１２月１７日に出願したＭａｇｎｕｓ  Ｏｌｓｓｏｎ他の「Ｍｅａｓｕｒｅｍｅｎｔ  Ｒｅｐｏｒｔ  Ｒｅｌａｙ  ｉｎ  Ａｃｃｅｓｓ  Ｄｉｖｉｓｉｏｎ  Ｍｕｌｔｉｐｌｅｘｉｎｇ  Ｓｙｓｔｅｍｓ」という名称の米国特許仮出願第６１／２８７，６２３号
【０００４】
２００９年１２月１７日に出願したＭａｇｎｕｓ  Ｏｌｓｓｏｎ他の「ＷＣＤＭＡ  ａｎｄ  ＬＴＥ  Ｍｕｌｔｉｐｌｅｘｉｎｇ」という名称の米国特許仮出願第６１／２８７，４３８号
【０００５】
２００９年１２月１７日に出願したＭａｇｎｕｓ  Ｏｌｓｓｏｎ他の「Ｔｅｌｅｃｏｍｍｕｎｉｃａｔｉｏｎｓ  Ｍｕｌｔｉｐｌｅｘｉｎｇ」という名称の米国特許仮出願第６１／２８７，６２７号
【０００６】
２００９年１２月１７日に出願したＭａｇｎｕｓ  Ｏｌｓｓｏｎ他の「Ａｃｃｅｓｓ  Ｄｉｖｉｓｉｏｎ  Ｍｕｌｔｉｐｌｅｘｉｎｇ−Ｃａｌｌ  Ｓｅｔｕｐ  Ｐｅｒｆｏｒｍａｎｃｅ  Ｉｍｐｒｏｖｅｍｅｎｔ」という名称の米国特許仮出願第６１／２８７，６３０号
【０００７】
２００９年１２月１７日に出願したＭａｇｎｕｓ  Ｏｌｓｓｏｎ他の「Ｓｃｈｅｄｕｌｅｄ  Ｏｐｔｉｍｉｚｅｄ  ｆｏｒ  ＧＳＭ  ａｎｄ  ＬＴＤ  Ｍｕｌｔｉｐｌｅｘｉｎｇ」という名称の米国特許仮出願第６１／２８７，９５４号
【０００８】
本出願は以下の米国特許出願に関連する。これらの出願は全て本出願と同日に出願したものであり、出願の全体が参照により本明細書に組み込まれている。
【０００９】
Ｍａｇｎｕｓ  Ｏｌｓｓｏｎ他の「ＧＳＭ  ａｎｄ  ＬＴＥ  Ｍｕｌｔｉｐｌｅｘｉｎｇ」という名称の米国特許出願第１２／９４３，８０１号
【００１０】
Ｍａｇｎｕｓ  Ｏｌｓｓｏｎ他の「Ｌｉｎｋ  Ｒｅｐｏｒｔ  Ｒｅｌａｙ  ｉｎ  Ａｃｃｅｓｓ  Ｄｉｖｉｓｉｏｎ  Ｍｕｌｔｉｐｌｅｘｉｎｇ  Ｓｙｓｔｅｍｓ」という名称の米国特許出願第１２／９４３，７７０号
【００１１】
Ｍａｇｎｕｓ  Ｏｌｓｓｏｎ他の「Ｍａｉｎｔａｉｎｉｎｇ  Ｐａｃｋｅｔ  Ｓｗｉｔｃｈｅｄ  Ｓｅｓｓｉｏｎ  ｉｎ  ＬＴＥ  Ｗｈｅｎ  Ｅｓｔａｂｌｉｓｈｉｎｇ  ＧＳＭ  Ｃｉｒｃｕｉｔ  Ｓｗｉｔｃｈｅｄ  Ｃａｌｌ」という名称の米国特許出願第１２／９４３，６８５号
【００１２】
Ｍａｇｎｕｓ  Ｏｌｓｓｏｎ他の「Ｃａｌｌ  Ｓｅｔｕｐ  Ｆｏｒ  Ａｃｃｅｓｓ  Ｄｉｖｉｓｉｏｎ  Ｍｕｌｔｉｐｌｅｘｉｎｇ」という名称の米国特許出願第１２／９４３，７３６号
【００１３】
Ｍａｇｎｕｓ  Ｏｌｓｓｏｎ他の「Ｓｃｈｅｄｕｌｉｎｇ  Ｆｏｒ  Ａｃｃｅｓｓ  Ｄｉｖｉｓｉｏｎ  Ｍｕｌｔｉｐｌｅｘｉｎｇ」という名称の米国特許出願第１２／９４３，５０４号
【００１４】
Ｍａｇｎｕｓ  Ｏｌｓｓｏｎ他の「Ｋｅｅｐｉｎｇ  Ｐａｃｋｅｔ  Ｓｗｉｔｃｈｅｄ  Ｓｅｓｓｉｏｎ  ｉｎ  ＬＴＥ  Ｗｈｉｌｅ  Ｃｉｒｃｕｉｔ  Ｓｗｉｔｃｈｅｄ  Ｒｅｇｉｓｔｅｒｅｄ  ｉｎ  ＷＣＤＭＡ」という名称の米国特許出願第１２／９４３，６１２号
【００１５】
本技術は、無線通信ネットワークに関し、具体的にはアクセス分割多重化（ａｃｃｅｓｓ  ｄｉｖｉｓｉｏｎ  ｍｕｌｔｉｐｌｅｘｉｎｇ）（ＡＤＭ）に関する。
【背景技術】
【００１６】
一般的なセル方式無線システムでは、無線端末（移動局および／またはユーザイクイップメントユニット（ＵＥ）としても知られている）が、無線アクセスネットワーク（ＲＡＮ）を介して１つまたは複数のコアネットワークと通信する。無線アクセスネットワーク（ＲＡＮ）は、複数のセルエリアに分割された１つの地理的エリアをカバーし、それぞれのセルエリアは、１つの基地局、例えば１つの無線基地局（ＲＢＳ）によってサービスが提供される。ネットワークによっては、無線基地局（ＲＢＳ）が、例えば「ＮｏｄｅＢ」（ＵＭＴＳ）または「ｅＮｏｄｅＢ」（ＬＴＥ）と呼ばれることもある。セルは、基地局サイトにある無線基地局機器によって無線カバレージ（ｃｏｖｅｒａｇｅ）が提供される地理的エリアである。それぞれのセルは、そのローカル無線エリア内の識別子によって識別され、この識別子は、そのセル内で無線放送される。基地局は、無線周波数で動作するエアインタフェース（ａｉｒ  ｉｎｔｅｒｆａｃｅ）を介して、その基地局の範囲内のユーザイクイップメントユニット（ＵＥ）と通信する。
【００１７】
いくつかの種類の無線アクセスネットワークでは一般に、（無線ネットワークコントローラ（ＲＮＣ）、基地局コントローラ（ＢＳＣ）などの）１つのコントローラノードに（例えば陸上通信線またはマイクロ波によって）いくつかの基地局が接続され、コントローラノードは、そのコントローラノードに接続した複数の基地局のさまざまな活動を監督し、調整する。無線ネットワークコントローラは一般に１つまたは複数のコアネットワークに接続される。
【００１８】
ユニバーサルモバイルテレコミュニケーションズシステム（ＵＭＴＳ）は、第２世代（２Ｇ）のグローバルシステムフォーモバイルコミュニケーションズ（ＧＳＭ）（登録商標）から進化した第３世代の移動通信システムである。ＵＴＲＡＮは本質的に、広帯域符号分割多重アクセスを使用する、ユーザイクイップメントユニット（ＵＥ）用の無線アクセスネットワークである。サードジェネレーションパートナーシッププロジェクト（（３ＧＰＰ）として知られているフォーラムでは、電気通信供給業者が、第３世代ネットワーク、特にＵＴＲＡＮに対する標準を提案し、そのような標準に合意しており、強化されたデータ転送速度および無線容量を調査している。発展型ユニバーサルテレストリアルラジオアクセスネットワーク（Ｅ−ＵＴＲＡＮ）に対する仕様が、サードジェネレーションパートナーシッププロジェクト（３ＧＰＰ）内で検討中である。発展型ユニバーサルテレストリアルラジオアクセスネットワーク（Ｅ−ＵＴＲＡＮ）は、ロングタームエボルーション（ＬＴＥ）およびシステムアーキテクチャエボルーション（ＳＡＥ）を含む。ロングタームエボルーション（ＬＴＥ）は一種の３ＧＰＰ無線アクセス技術であり、ＬＴＥでは、無線基地局ノードが、無線ネットワークコントローラ（ＲＮＣ）ノードではなくコアネットワークに（サービングゲートウェイないしＳＧＷを介して）接続される。ＬＴＥでは一般に、無線ネットワークコントローラ（ＲＮＣ）ノードの機能が、無線基地局ノード（ＬＴＥではｅＮｏｄｅＢ）とＳＧＷの間で分配される。そのため、ＬＴＥシステムの無線アクセスネットワーク（ＲＡＮ）は、無線ネットワークコントローラ（ＲＮＣ）ノードに報告しない無線基地局ノードを含む本質的に「フラット（ｆｌａｔ）な」アーキテクチャを有する。
【００１９】
移動ネットワークの第１世代ではセル方式回線交換（ＣＳ）テレフォニー（ｔｅｌｅｐｈｏｎｙ）が導入された。それ以来、ＣＳテレフォニーは世界で最大のサービスになっており、約４０億のサブスクリプション（ｓｕｂｓｃｒｉｐｔｉｏｎ）が販売された。今日でも、移動通信運営業者の収益の主要な部分は、ＣＳテレフォニーサービス（ショートメッセージサービス（ＳＭＳ）を含む）からであり、２Ｇ  ＧＳＭネットワークは、サブスクリプションに関して依然として世界を支配している。３Ｇのサブスクリプションの規模は増大してはいるが、その増大は、部分的には、ハンドヘルド式移動端末を所有するユーザは２Ｇから３Ｇへ移行しているため、より大きくは、ドングル（ｄｏｎｇｌｅ）またはラップトップ内の埋込み型チップセットによって実現されたモバイルブロードバンドの結果である。
【００２０】
３ＧＰＰ内のロングタームエボルーション（ＬＴＥ）プロジェクトは、この３Ｇ標準をさらに改良して、特に、よりいっそう良好なモバイルブロードバンド（より高いスループット、より短いラウンドトリップタイムなど）をエンドユーザに提供することを目指している。
【００２１】
電気通信業界の共通する見解は、将来のネットワークはａｌｌ−ＩＰネットワークになるというものである。この想定に基づいて、ＬＴＥの作業ではＣＳドメインが除かれた。その結果、３ＧＰＰ  Ｒｅｌｅａｓｅ  ８に準拠したＬＴＥ端末は、以下の４つのうちの１つが実行されない限り、テレフォニーサービスを使用することができない。
【００２２】
（１）回線交換（ＣＳ）フォールバック（ｆａｌｌｂａｃｋ）（ＣＳＦＢ）を実現して、テレフォニーサービスが使用されるときにはＬＴＥ端末が２Ｇ  ＧＳＭへフォールバックするようにする。
【００２３】
（２）３ＧＰＰ  ＩＰマルチメディアサブシステム（ＩＭＳ）／マルチメディアテレフォニー（ＭＭＴｅｌ）を実現する。これは、ＩＰおよびＩＭＳを介して提供され、公衆交換電話網（ＰＳＴＮ）／公衆地上移動網（ＰＬＭＮ）と相互に作用する、シミュレーションされたＣＳテレフォニーサービスである。
【００２４】
（３）ＬＴＥを介してアンライセンストモバイルアクセス（ＵＭＡ）／ジェネリックアクセスネットワーク（ＧＡＮ）を使用するトンネリング（ｔｕｎｎｅｌｉｎｇ）ソリューションを実現する。このソリューションでは、ＣＳサービスがＩＰトンネルにカプセル化される。
【００２５】
（４）ＰＳＴＮ／ＰＬＭＮインターワーキングを用いたプロプライエタリ（ｐｒｏｐｒｉｅｔａｒｙ）ボイスオーバＩＰ（ＶｏＩＰ）ソリューションを実現する。
【００２６】
これらの４つの可能性はいずれも欠点を有する。デュアルトランスファモード（ＤＴＭ）機能を持たないデプロイされた（ｄｅｐｌｏｙｅｄ）ＧＳＭネットワークでは、ＣＳサービスとパケット交換（ＰＳ）サービスを並行して使用することができない。したがって、回線交換フォールバック（ＣＳＦＢ）を使用した端末への通話または端末からの通話の前に実行されていた全てのＰＳサービスは保留にされるか、または終了される。ＧＳＭネットワークがＤＴＭを有する場合、ＰＳ性能は（数十Ｍｂｐｓから数十ないし数百ｋｂｐｓに）大幅に低減される。ＣＳフォールバックアプローチの１つの欠点は、呼び出すまたは呼び出されるときに、ＬＴＥからＧＳＭおよびＣＳサービスへ端末がフォールバックしていることである。回線交換フォールバック（ＣＳＦＢ）は通話セットアップ時間も長くする。
【００２７】
ＩＭＳ／ＭＭＴｅｌアプローチは、ＩＭＳベースの全く新しいコア／サービス層を使用する。これは、このサービスを強化する新たな可能性を提供するが、これには同時に、財政上のハードルを運営業者が越えなければならないという欠点もある。新たなコアネットワークは資本支出（ｃａｐｉｔａｌ  ｅｘｐｅｎｄｉｔｕｒｅ）（ＣＡＰＥＸ）を押し上げ、そのコアネットワークの統合は、初期の営業費（ｏｐｅｒａｔｉｏｎｇ  ｅｘｐｅｎｄｉｔｕｒｅ）（ＯＰＥＸ）の増大をもたらす。さらに、ＩＭＳ／ＭＭＴｅｌアプローチは、２Ｇ／３Ｇ  ＣＳテレフォニーサービスへ／からの音声ハンドオーバ（ｈａｎｄｏｖｅｒ）を取り扱うために、端末およびレガシー（ｌｅｇａｃｙ）ＣＳネットワーク内に実現されたフィーチャを必要とする。
【００２８】
ＬＴＥを介してＵＭＡ／ＧＡＮを使用することは、標準化されたソリューションではなく、そのため、このソリューションがプロプライエタリソリューションであることが欠点であり、したがって、端末の可用性が問題になることがある。このソリューションはさらに、ネットワークと端末の両方のコア／サービス層に追加の機能、例えばネットワークではＧＡＮコントローラ、ＵＥ端末ではＧＡＮプロトコルを追加する。
【００２９】
運営業者によって制御される場合、プロプライエタリＶｏＩＰアプローチは、ＩＭＳ／ＭＭＴｅｌ（新たなコア／サービス層）アプローチと同じ欠点、ならびにこのアプローチがプロプライエタリであることに関連した困難をもたらし、２Ｇ／３Ｇ  ＣＳへのハンドオーバがサポートされない可能性もある。
【００３０】
３ＧＰＰ  ｒｅｌｅａｓｅ８に準拠したＬＴＥ端末などの無線端末を用いてレガシーＣＳテレフォニーサービスを使用するためのソリューションは他にもある。アクセス分割多重化（Ａｃｃｅｓｓ  Ｄｉｖｉｓｉｏｎ  Ｍｕｌｔｉｐｌｅｘｉｎｇ）（ＡＤＭ）の一型としても知られているこの追加のソリューションでは、ＧＳＭ  ＣＳ音声の伝送がＬＴＥ伝送とＬＴＥ伝送の間にインタリーブされる。例えば、参照により本明細書に組み込まれているＰＣＴ／ＳＥ２００７／０００３５８を参照されたい。このようなＡＤＭソリューションの例示的な一実現態様では、無線端末が、ＴＤＭＡベースの２つの無線システムと同時に通信する。例えば、その無線端末は、その通信を２つのシステム間で時間的に交替させることによって、両方のシステムへの通信経路を維持することができる。２つのシステム間の切替えは、それらの２つのシステム間の同時通信を有効に提供するのに十分な短い時間スケールで起こる。
【００３１】
このＡＤＭソリューションは、ＬＴＥカバレージ内にあるときにテレフォニーサービスと並行した良好なＰＳ接続を達成することを試みるが、レガシーＣＳコアおよびデプロイされたＧＳＭネットワークをテレフォニーサービスに依然として再使用してコストを減らし、それにもかかわらずテレフォニーサービスに対する良好なカバレージを維持する。
【００３２】
ＡＤＭソリューションはいくつかの方式で実現することができる。図１Ａに示した第１の例示的な実現態様は、ＧＳＭ  ＣＳコアとＬＴＥ  ＰＳコアの間の調整が不要な、完全にＵＥを中心としたソリューションである。図１Ｂに示した第２の例示的な実現態様はネットワーク支援ソリューションであり、回線交換フォールバック（ＣＳＦＢ）に基づくソリューション、またはＬＴＥを介したページングを再使用するだけのソリューションとすることができる。
【００３３】
無線の観点から、ＡＤＭソリューションは、３つの異なる方式のうちの任意の方式で現実化することができる。図２Ａに示した第１の例示的な無線現実化実施形態として、ＧＳＭ  ＴＤＭＡフレームレベルでＬＴＥ伝送をＧＳＭ伝送と多重化することができる。図２Ａでは、ＧＳＭ伝送用のフレームとＬＴＥ伝送用のフレームの陰影の暗さが異なっている。この第１の例示的なソリューションは、ＧＳＭ回線交換（ＣＳ）テレフォニーサービスがハーフレートコーデックだけを使用することを要求する。ＧＳＭがハーフレートで使用されているとき、ユーザは、ＧＳＭ  ＴＤＭＡフレームを１つおきに使用する。
【００３４】
図２Ｂに示した第２の例示的な無線現実化実施形態として、ＧＳＭバーストレベルでＬＴＥ伝送をＧＳＭ伝送と多重化することができる。ＧＳＭは、持続時間がそれぞれ０．５７７ｍｓであるバーストを使用して音声を伝送する。音声操作では、１つのバーストを送信した後、Ｒｘ／Ｔｘ部分は、再び目覚めるまで７×０．５７７ｍｓの間休眠し、次いで新たなＲｘ／Ｔｘプロセスを実行する。この第２の例では、この時間ギャップをＬＴＥ伝送に使用することができる。
【００３５】
図２Ｃに示した第３の例示的な無線現実化実施形態として、送信に対しては上記のいずれかの実施形態を使用し、ダウンリンクでは、複式受信器を使用することによって、ＧＳＭとＬＴＥを同時に受信して操作を単純化することができる。
【００３６】
回線交換フォールバック（ＣＳＦＢ）のアーキテクチャおよび原理は、例えばその全体が参照により本明細書に組み込まれている３ＧＰＰ  ＴＳ  ２３．２７２、Ｃｉｒｃｕｉｔ  Ｓｗｉｔｃｈｅｄ  Ｆａｌｌｂａｃｋ  ｉｎ  Ｅｖｏｌｖｅｄ  Ｐａｃｋｅｔ  Ｓｙｓｔｅｍ、Ｓｔａｇｅ２（Ｒｅｌｅａｓｅ  ８）に定義されており、本明細書ではこれを「２３．２７２」と略記する。
【００３７】
ロングタームエボルーション（ＬＴＥ）アクセスは一般に、ＷＣＤＭＡおよびＧＳＭ／ＧＰＲＳと比べたときに、改良されたパケット交換（ＰＳ）セッション性能を提供する。しかしながら、図３に示すように、ＬＴＥを利用できるのは主にＰＳ専用装置である。図の破線はＰＳセッションのユーザプレーンを表している。
【００３８】
ＰＣＴ／ＳＥ２００７／０００３５８のソリューションなどのＡＤＭソリューションは、例えばロングタームエボルーション（ＬＴＥ）とグローバルシステムフォーモバイルコミュニケーション（ＧＳＭ）の共存を目指している。図４は、回線交換（ＣＳ）音声を中心とする装置が、ＬＴＥにおけるＰＳセッションを保持している間にＧＳＭにおけるＣＳサービスに対する登録（ｒｅｇｉｓｔｒａｔｉｏｎ）を実施することができる場合に起こることを示している。図４では、破線がＰＳセッションのユーザプレーンを表しており、実線がＣＳ登録（制御プレーン）を表している。
【００３９】
しかしながら、ＷＣＤＭＡとの共存の場合、ＰＣＴ／ＳＥ２００７／０００３５８のアプローチなどのＡＤＭアプローチは、図５に示すように、ＣＳ音声を中心とする装置がＷＣＤＭＡに一時的に移動する必要があることを前提としている。図５では、破線がＰＳセッションのユーザプレーンを表しており、緑の実線がＣＳ登録（制御プレーン）を表している。このことは、ＣＳ音声を中心とする装置が、ＬＴＥアクセスの改良された性能から利益を得ることができないことを意味する（一般に、ＬＴＥは、広い帯域幅および短い待ち時間（ラウンドトリップ遅延）を提供する）。
【００４０】
ＷＣＤＭＡへの移動は、図６および図７に示すような追加のステップを含む。図６（結合されたロケーションエリア／レジストレーションエリアＬＡ／ＲＡ更新（以後、結合ＬＡ／ＲＡ更新）を使用しないＷＣＤＭＡへのセル再選択）では、結合（ＬＡ／ＲＡ）更新が使用されず、図７（結合ＬＡ／ＲＡ更新を使用するＷＣＤＭＡへのセル再選択）では、結合ＬＡ／ＲＡ更新が使用される。
【発明の概要】
【００４１】
本発明の一態様では、本明細書に開示した技術が、ロングタームエボルーション（ＬＴＥ）コアネットワークとのパケット交換（ＰＳ）サービスに対する登録および／またはセッションを既に有しているときに、広帯域符号分割多重化（ＷＣＤＭＡ）エアインタフェースを介した回線交換（ＣＳ）コアネットワークとの回線交換（ＣＳ）サービスに対する登録を実施するように構成された無線端末に関する。この無線端末は、回線交換（ＣＳ）サービスに対する登録に関連して、ロングタームエボルーション（ＬＴＥ）コアネットワークとのパケット交換（ＰＳ）サービスに対する登録および／またはセッションを維持するように構成されている。例示的な実施形態では、この無線端末が、広帯域符号分割多重化（ＷＣＤＭＡ）エアインタフェースを介した回線交換（ＣＳ）コアネットワークとの回線交換（ＣＳ）サービスに対する登録を実施することに関連して、広帯域符号分割多重化（ＷＣＤＭＡ）エアインタフェースを介したパケット交換（ＰＳ）コアネットワークとのパケット交換（ＰＳ）サービスに対する登録を実施するのを抑制するように構成されている。例えば、例示的な実現態様では、無線端末が、回線交換（ＣＳ）サービスに対する登録に関連して、広帯域符号分割多重化（ＷＣＤＭＡ）パケット交換（ＰＳ）コアネットワークに向けてのルーティングエリア更新の実行を抑制するように構成されている。
【００４２】
例示的な実現態様では、無線端末が、回線交換（ＣＳ）接続が確立されるような時点までは、ロングタームエボルーション（ＬＴＥ）コアネットワークとのパケット交換（ＰＳ）サービスに対する登録および／またはセッションを維持するが、回線交換（ＣＳ）接続が確立されたときには、広帯域符号分割多重化（ＷＣＤＭＡ）パケット交換（ＰＳ）コアネットワークに向けてのルーティングエリア更新を実行するように構成されている。
【００４３】
例示的な実施形態では、無線端末が、通信インタフェースおよび登録コントローラを備える。通信インタフェースは、回線交換（ＣＳ）サービスに対する登録を実施するように構成されたメッセージをエアインタフェースを介して伝達するように配置されている。登録コントローラは、ロングタームエボルーション（ＬＴＥ）コアネットワークとのパケット交換（ＰＳ）サービスに対する登録および／またはセッションを維持するとともに、広帯域符号分割多重化（ＷＣＤＭＡ）エアインタフェースを介した回線交換（ＣＳ）コアネットワークとの回線交換（ＣＳ）サービスに対する登録を実施するように構成されている。
【００４４】
本発明の他の態様では、本明細書に開示した技術が無線端末を操作する方法に関する。この方法は、ロングタームエボルーション（ＬＴＥ）コアネットワークとのパケット交換（ＰＳ）サービスに対する登録および／またはセッションを既に有しているときに、無線端末が、広帯域符号分割多重化（ＷＣＤＭＡ）エアインタフェースを介した回線交換（ＣＳ）コアネットワークとの回線交換（ＣＳ）サービスに対する登録を実施することを含む。この方法はさらに、回線交換（ＣＳ）サービスに対する登録に関連して、無線端末が、ロングタームエボルーション（ＬＴＥ）コアネットワークとのパケット交換（ＰＳ）サービスに対する登録および／またはセッションを維持することを含む。例示的な形態（ｍｏｄｅ）および実施形態では、広帯域符号分割多重化（ＷＣＤＭＡ）エアインタフェースを介した回線交換（ＣＳ）コアネットワークとの回線交換（ＣＳ）サービスに対する登録を実施することに関連して、無線端末が、広帯域符号分割多重化（ＷＣＤＭＡ）エアインタフェースを介したパケット交換（ＰＳ）コアネットワークとのパケット交換（ＰＳ）サービスに対する登録を実施するのを抑制する。例えば、例示的な実現態様では、この無線端末の方法が、回線交換（ＣＳ）サービスに対する登録に関連して、無線端末が、広帯域符号分割多重化（ＷＣＤＭＡ）パケット交換（ＰＳ）コアネットワークに向けてのルーティングエリア更新の実行を抑制することを含む。
【００４５】
例示的な実現態様では、この無線端末の方法が、回線交換（ＣＳ）サービスに対する登録に関連して、無線端末が、広帯域符号分割多重化（ＷＣＤＭＡ）パケット交換（ＰＳ）コアネットワークに向けてのルーティングエリア更新の実行を抑制することをさらに含む。例示的な実現態様では、この無線端末の方法が、回線交換（ＣＳ）接続が確立されたときに、無線端末が、広帯域符号分割多重化（ＷＣＤＭＡ）パケット交換（ＰＳ）コアネットワークに向けてのルーティングエリア更新を実行することをさらに含む。
【００４６】
本発明の他の態様では、本明細書に開示した技術が、ロングタームエボルーション（ＬＴＥ）コアネットワークと、ＷＣＤＭＡネットワークなどの回線交換（ＣＳ）コアネットワークと、無線端末とを備える通信ネットワークに関する。この無線端末は、ロングタームエボルーション（ＬＴＥ）コアネットワークとのパケット交換（ＰＳ）サービスに対する登録および／またはセッションを既に有しているときに、広帯域符号分割多重化（ＷＣＤＭＡ）エアインタフェースを介した回線交換（ＣＳ）コアネットワークとの回線交換（ＣＳ）サービスに対する登録を実施するように構成されている。無線端末はさらに、回線交換（ＣＳ）サービスに対する登録に関連して、ロングタームエボルーション（ＬＴＥ）コアネットワークとのパケット交換（ＰＳ）サービスに対する登録および／またはセッションを維持するように構成されている。
【００４７】
本発明の他の態様では、本明細書に開示した技術が、このような通信ネットワークを操作する方法に関する。
【００４８】
本発明の以上の目的、特徴および利点ならびにその他の目的、特徴および利点は、添付図面に示した好ましい実施形態の以下のより具体的な説明から明らかである。図面中、さまざまな図の全体を通じて、同じ参照符号は同じ部分を指す。図面の尺度は必ずしも一律ではなく、その代わりに、本発明の原理を示すことに重点が置かれている。
【図面の簡単な説明】
【００４９】
【図１Ａ】ＧＳＭ  ＣＳコアとＬＴＥ  ＰＳコアの間の調整が不要な、完全にＵＥを中心としたＡＤＭソリューションを示す略図である。
【図１Ｂ】ＣＳフォールバック（ＣＳＦＢ）に基づくソリューション、またはＬＴＥを介したページングを再使用するだけのソリューションとすることができる、ネットワーク支援ＡＤＭソリューションを示す略図である。
【図２】ＡＤＭソリューションの示された異なる例示的な無線現実化実施形態を示す図であり、図２Ａは、単一の受信器／送信器を備え、ハーフレートのＧＳＭおよびＴＤＭＡフレームレベルでの多重化を含む実施形態を示し、図２Ｂは、単一の受信器／送信器を備え、バースト周期レベルでの多重化を含む実施形態を示し、図２Ｃは、複式デュアル受信器／単一送信器を備える実施形態を示す図である。
【図３】ロングタームエボルーションパケット交換（ＬＴＥ）セッションに参加しているパケット交換専用装置を示す略図である。
【図４】ロングタームエボルーションパケット交換（ＬＴＥ）セッションに参加している音声を中心とする装置であって、ＧＳＭにおいて登録を実施している装置を示す略図である。
【図５】ＷＣＤＭＡにおいて回線交換登録を実施しているときのＷＣＤＭＡへのパケット交換セッションの移動を示す略図である。
【図６】結合ロケーションエリア／ルーティングエリア更新を使用しないＷＣＤＭＡへのセル再選択に含まれる基本的な動作（ａｃｔ）またはステップを示す略図である。
【図７】結合ロケーションエリア／ルーティングエリア更新を使用するＷＣＤＭＡへのセル再選択に含まれる基本的な動作またはステップを示す略図である。
【図８】ＬＴＥネットワークおよびＷＣＤＭＡネットワークを用いたアクセス分割多重化（ＡＤＭ）に参加している無線端末を示す略図である。
【図９】例示的な形態および実施形態に基づく無線端末を操作する方法を構成する基本的かつ代表的な動作またはステップを示す図である。
【図１０】図９の例示的な形態および実施形態の具体的な実現態様に基づく無線端末を操作する方法を構成する基本的かつ代表的な動作またはステップを示す図である。
【図１１】無線端末の例示的な一実施形態の略図である。
【図１２】あるプラットフォーム実現態様を示す無線端末の例示的な一実施形態のより詳細な略図である。
【図１３】結合ロケーションエリア／ルーティングエリア更新を使用しないＷＣＤＭＡへのセル再選択であって、ＬＴＥにおけるパケット交換登録および／またはパケット交換セッションを維持するＷＣＤＭＡへのセル再選択に含まれる基本的な動作またはステップを示す略図である。
【図１４】結合ロケーションエリア／ルーティングエリア更新を使用するＷＣＤＭＡへのセル再選択であって、ロングタームエボルーション（ＬＴＥ）コアネットワークとのパケット交換サービスに対する登録および／またはセッションを維持するＷＣＤＭＡへのセル再選択に含まれる基本的な動作またはステップを示す略図である。
【図１５】ＷＣＤＭＡにおいてＣＳ登録を実施している間、ロングタームエボルーション（ＬＴＥ）におけるパケット交換（ＰＳ）登録および／またはセッションが維持されることを示す略図である。
【発明を実施するための形態】
【００５０】
以下の説明では、本発明の完全な理解を提供するため、限定のためではなく説明のために、特定のアーキテクチャ、インタフェース、技法などの具体的な詳細が示される。しかしながら、それらの具体的な詳細を逸脱する他の実施形態において本発明を実施することができることは当業者には明らかである。すなわち、当業者であれば、本明細書には明示的に記載されまたは示されていないが、本発明の原理を具体化し、本発明の趣旨および範囲に含まれるさまざまな構成を考案することができる。不必要な詳細によって本発明の説明を不明瞭にすることがないように、場合によっては、周知の装置、回路および方法の詳細な説明が省かれる。本発明の原理、態様および実施形態ならびに本発明の具体的な例を列挙する本明細書の全ての記述は、その構造上および機能上の等価物の両方を包含することが意図されている。さらに、このような等価物は、現在知られている等価物と将来開発される等価物の両方、すなわち同じ機能を実行する、構造は問わない開発された一切の要素を含むことが意図されている。
【００５１】
したがって、例えば、本明細書のブロック図は、この技術の原理を具体化する例示的な回路または他の機能ユニットの概念図を表しうることを当業者は理解するであろう。同様に、流れ図、状態遷移図、擬似コードなどはさまざまなプロセスを表すことが理解され、これらのさまざまなプロセスは、そのようなコンピュータまたはプロセッサが明示的に示されているか否かに関わらず、コンピュータ可読媒体内に実質的に表現されていることがあり、そのためコンピュータまたはプロセッサによって実行されることがある。
【００５２】
限定はされないが「コンピュータ」、「プロセッサ」または「コントローラ」として標識され、または記述されるものを含む、機能ブロックを含むさまざまな要素の機能は、回路ハードウェアおよび／またはコンピュータ可読媒体上に記憶されたコード化された命令の形態のソフトウェアを実行する能力を有するハードウェアなどのハードウェアを使用することによって提供することができる。したがって、このような機能および図示された機能ブロックは、ハードウェアおよび／またはコンピュータによって実現され、したがって機械によって実現されると理解されたい。
【００５３】
ハードウェア実現態様に関して、機能ブロックは、限定はされないが、ディジタルシグナルプロセッサ（ＤＳＰ）ハードウェア、縮小命令セットプロセッサ、限定はされないが特定用途向けＩＣ［ＡＳＩＣ］を含むハードウェア（例えばディジタルまたはアナログ）回路、および（適当な場合には）このような機能を実行する能力を有する状態機械を含み、または包含することがある。
【００５４】
コンピュータ実現態様に関して、コンピュータは一般に、１つもしくは複数のプロセッサまたは１つもしくは複数のコントローラを備えると理解され、本明細書では、コンピュータおよびプロセッサおよびコントローラという用語が相互交換可能に使用されることがある。コンピュータまたはプロセッサまたはコントローラによって提供されるときには、その機能を、単一の専用コンピュータもしくはプロセッサもしくはコントローラによって、単一の共用コンピュータもしくはプロセッサもしくはコントローラによって、または複数の個々のコンピュータもしくはプロセッサによってもしくはコントローラによって提供することができ、複数の個々のコンピュータもしくはプロセッサによってもしくはコントローラは、その一部が共用されまたは分散されていてもよい。さらに、用語「プロセッサ」または「コントローラ」の使用はさらに、このような機能を実行し、かつ／または例えば先に列挙した例示的なハードウェアなどのソフトウェアを実行する能力を有する他のハードウェアを指すと解釈される。
【００５５】
図８に一例として示す本明細書に開示した技術の一態様によれば、ユーザイクイップメントユニット（ＵＥ）または無線端末３０は、並行した２つの無線アクセス技術ネットワークを用いたアクセス分割多重化（ＡＤＭ）に参加することができる。図８は、ロングタームエボルーション（ＬＴＥ）ネットワーク２２−１のセルおよびＷＣＤＭＡネットワーク２２−２（３Ｇネットワーク）のセルを示す。ＬＴＥネットワーク２２−１は基地局またはｅＮｏｄｅＢ２８−１を含み、３Ｇネットワーク２２−２は基地局２８−２を含む。前述のとおり、ＬＴＥネットワーク２２−１は回線交換（ＣＳ）サービスを提供せず、そのため、ＬＴＥネットワーク２２−１が提供するパケット交換（ＰＳ）サービスに参加している無線端末３０は、回線交換（ＣＳ）サービス用の別のネットワーク、例えばＷＣＤＭＡネットワーク２２−２に移らなければならない。
【００５６】
本明細書に開示した技術は、ＣＳ音声通話が継続中でない限りにおいて、回線交換（ＣＳ）音声を中心とする装置が、ロングタームエボルーション（ＬＴＥ）アクセスの改良された性能から利益を得ることを可能にする。このソリューションはＵＥを中心としたソリューションである。このことは、（３ＧＰＰに準拠したアイドルモード（ｉｄｌｅ  ｍｏｄｅ）の振舞いに基づいてＷＣＤＭＡが好ましいアクセスである場合に）無線端末（例えばユーザイクイップメントユニット［ＵＥ］）をＷＣＤＭＡにおけるＣＳサービスに対して登録することを意味する。しかしながら、ＷＣＤＭＡにおけるＣＳサービスに対して登録を実施している間、無線端末は、ＷＣＤＭＡにおけるパケット交換（ＰＳ）サービスに対する登録を実施しない。この登録は、ＬＴＥにおけるＰＳ登録／セッションを保持している間にＣＳサービスに対する登録を実施することによって実行される。
【００５７】
本明細書では用語「セッション」が、アクティブなパケット交換（ＰＳ）接続を示すために使用され、一方、用語「登録」は、ネットワークに知られている端末、したがって「セッション」を有する準備はできてはいるが、まだセッションに関与または参加していない端末に対して使用される。ロングタームエボルーション（ＬＴＥ）では、「登録」が、最初は「アタッチ（Ａｔｔａｃｈ）」として実行され、（アイドルモードでは）「トラッキングエリア更新」によって維持される。接続モード（Ｃｏｎｎｅｃｔｅｄ  Ｍｏｄｅ）にある間、例えば「セッション」を有している間は、この「登録」が、「ネットワークに接続されていること」によって維持される。ＷＣＤＭＡ（およびＧＳＭ）では、「登録」と「セッション」をより明確に識別することが可能である。ＷＣＤＭＡにおける「セッション」は、ＰＤＰコンテキストアクチベーション（ＰＤＰ  Ｃｏｎｔｅｘｔ  Ａｃｔｉｖａｔｉｏｎ）が通信手段を確立することを要求する。一方、ＷＣＤＭＡにおける登録は、ＰＤＰコンテキストを起動することなく実施し、維持することができる。
【００５８】
図９は、例示的な形態および実施形態に基づく無線端末３０を操作する方法を構成する基本的かつ代表的な動作またはステップを示す。動作９−１は、ロングタームエボルーション（ＬＴＥ）コアネットワークとのパケット交換（ＰＳ）サービスに対する登録および／またはセッションを既に有しているときに、無線端末が、広帯域符号分割多重化（ＷＣＤＭＡ）エアインタフェースを介した回線交換（ＣＳ）コアネットワークとの回線交換（ＣＳ）サービスに対する登録を実施することを含む。動作９−２は、回線交換（ＣＳ）サービスに対する登録に関連して、無線端末が、ロングタームエボルーション（ＬＴＥ）コアネットワークとのパケット交換（ＰＳ）サービスに対する登録および／またはセッションを維持することを含む。図１０は、より具体的な形態および実施形態を示し、ここでは動作９−２が動作９−２（１０）の形をとる。動作９−２（１０）は、広帯域符号分割多重化（ＷＣＤＭＡ）エアインタフェースを介した回線交換（ＣＳ）コアネットワークとの回線交換（ＣＳ）サービスに対する登録を実施することに関連して、無線端末が、広帯域符号分割多重化（ＷＣＤＭＡ）エアインタフェースを介したパケット交換（ＰＳ）コアネットワークとのパケット交換（ＰＳ）サービスに対する登録を実施するのを抑制することを含む。例えば、図１３および図１４に関して示す下記の例示的な実現態様において、動作９−２（１０）は、回線交換（ＣＳ）サービスに対する登録に関連して、無線端末が、広帯域符号分割多重化（ＷＣＤＭＡ）パケット交換（ＰＳ）コアネットワークに向けてのルーティングエリア更新の実行を抑制することを含む。
【００５９】
図１１は、無線端末の例示的で、包括的でかつ基本的な実施形態３０を示す。図１１に示すように、無線端末３０は、通信インタフェース４０およびサービス登録コントローラ４２を備える。通信インタフェース４０は、エアインタフェースを介して通信に関与するように配置されており、このような通信は、回線交換（ＣＳ）サービスに対する登録を実施するように構成されたメッセージを含む。サービス登録コントローラ４２は、ロングタームエボルーション（ＬＴＥ）コアネットワーク２２−１とのパケット交換（ＰＳ）サービスに対する登録および／またはセッションを維持するとともに、広帯域符号分割多重化（ＷＣＤＭＡ）エアインタフェースを介した回線交換（ＣＳ）コアネットワークとの回線交換（ＣＳ）サービスに対する登録を実施するように構成されている。図１１に示す特定の例示的な実施形態では、サービス登録コントローラ４２が、ルーティングエリア更新抑制装置（ｉｎｈｉｂｉｔｏｒ）４４を備える。
【００６０】
図１２は、ＬＴＥネットワーク２２−１の管理および伝送を取り扱うように構成された第１のコントローラ５８−１、ならびにＷＣＤＭＡネットワーク２２−２の管理および伝送を取り扱うように構成された第２のコントローラ５８−２を備える、無線端末のより詳細な例示的実施形態３０（１２）を示す。第１のコントローラ５８−１および第２のコントローラ５８−２は、同じプロセッサまたはコントローラ（またはプロセッサシステム）によって現実化しまたは実施することができ、そのような場合、第１のコントローラ５８−１と第２のコントローラ５８−２は、別々の非一時的実行可能信号セット（例えば有形の媒体上に記憶されたプログラムまたはルーチン）を構成してもよい。
【００６１】
図１２はさらに、例示的な無線端末３０（１２）のある種の機能をプラットフォーム６０によって現実化し、かつ／またはプラットフォーム６０上に提供することができることを示している。用語「プラットフォーム」は、通信ユニットまたは通信ノードの機能ユニットを機械によって実現しまたは現実化する方法を記述する１つの手段である。１つの例示的なプラットフォームがコンピュータ実現態様であり、限定はされないが、サービス登録コントローラ４２を含む、要素の１つまたは複数が線６０によって囲われている。
【００６２】
例示的な一実現態様では、本明細書に記載されたさまざまな動作を実行するためにメモリに記憶されたコード化された命令（例えば非一時的信号）を実行する１つまたは複数のプロセッサによって、プラットフォーム６０によって囲われて示された諸機能および他の機能も現実化することができる。このようなコンピュータ実現態様において、無線端末は、プロセッサ（１つまたは複数）の他に、メモリセクション６２を備えることができる（メモリセクション６２は、ランダムアクセスメモリ６４、リードオンリーメモリ６６、アプリケーションメモリ６８（例えば、本明細書に記載された動作を実行するためにプロセッサによって実行することができるコード化された命令を記憶している）、および他のメモリ例えばキャッシュメモリなどを備えることができる）。
【００６３】
明確に示されているか否かに関わらず、本明細書で論じるそれぞれの実施形態の無線端末は一般に、ある種の入出力ユニットまたは入出力機能をさらに備えることができ、図１２には、無線端末用の代表的な入出力ユニットが、キーパッド７０、音声入力装置（例えばマイクロホン）７２、視覚入力装置（例えばカメラ）７４、視覚出力装置（例えばディスプレイ）７６および音声出力装置（例えばスピーカ）７８として示されている。無線端末３０に他のタイプの入出力装置を接続し、または無線端末３０が他のタイプの入出力装置を備えることもできる。
【００６４】
図１２の例では、プラットフォーム６０が、コンピュータによって実現されたプラットフォームまたはコンピュータに基づくプラットフォームとして示されている。無線端末用の他の例示的なプラットフォーム６０は、本明細書に記載されたさまざまな動作を実行するようにその回路要素が構築され、動作するハードウェア回路、例えば特定用途向けＩＣ（ＡＳＩＣ）のプラットフォームである。
【００６５】
さらに、本明細書で使用するとき、「（１つまたは複数の）無線端末」または「ＵＥ」は、限定はされないが携帯電話（「セル方式」電話）、無線機能（例えばモバイル端末）を備えるラップトップなどの移動局またはユーザイクイップメントユニット（ＵＥ）とすることができ、したがって、無線アクセスネットワークと音声および／またはデータをやりとりする例えばポータブル型、ポケット型、ハンドヘルド型、コンピュータ内蔵型または車載型の移動局またはユーザイクイップメントユニット（ＵＥ）とすることができることが理解される。
【００６６】
ＣＳサービスに対する登録の間ＬＴＥにおけるＰＳ登録／セッションを保持する方法を図１３および図１４に示す。図１３は結合ＬＡ／ＲＡ更新を使用しないＷＣＤＭＡへのセル再選択であって、変更が必要なＷＣＤＭＡへのセル再選択を示し、図１４は、結合ＬＡ／ＲＡ更新を使用するＷＣＤＭＡへのセル再選択であって、変更が必要なＷＣＤＭＡへのセル再選択を示す。
【００６７】
図１３および図１４に示すように、ＷＣＤＭＡへのセル再選択に対する変更点には、パケット交換（ＰＳ）ドメインに向けてのＲＡ更新（または結合ＬＡ／ＲＡ更新）をしないことが含まれる。パケット交換ＷＣＤＭＡ（ＰＳ）ドメインに向けてのＲＡ更新（または結合ＬＡ／ＲＡ更新）を抑制すると、図１５に示すようにＷＣＤＭＡにおいてＣＳ登録を実施している間、既存のパケット交換（ＰＳ）セッションをＬＴＥにおいて維持することができる（ＷＣＤＭＡにおいてＣＳ登録を実施している間、ＰＳセッションはＬＴＥにおいて維持される）。
【００６８】
回線交換（ＣＳ）通話が確立された後、このＣＳ通話確立に関連して、無線端末は、ＷＣＤＭＡ  ＰＳドメインに向けてのルーティングエリア更新を実行することができる。レジストレーションエリア（ＲＡ）更新は、ＣＳ通話確立の前、ＣＳ通話確立の後、またはＣＳ通話確立と並行して送ることができる。言い換えると、本明細書に開示した技術は、ＷＣＤＭＡへのＣＳ登録の間ＬＴＥにおけるＰＳセッションを保持するが、ＣＳ接続が確立されると、ＬＴＥにおけるＰＳセッションは終了となる。
【００６９】
前述のとおり、ＲＡ更新は、ＣＳ通話確立の前、ＣＳ通話確立の後、またはＣＳ通話確立と並行して送ることができる。ＲＡ更新は、ＣＳ通話確立後できるだけ早く送られることが好ましい。ＷＣＤＭＡパケット交換（ＰＳ）サービスは本質的に、ルーティングエリア（ＲＡ）更新の直後に始まる。
【産業上の利用可能性】
【００７０】
本明細書に開示した技術の利点は、ＷＣＤＭＡ  ＣＳ登録からＣＳ通話の確立までの期間の間、（ＷＣＭＤＡ  ＰＳに切り換わることなく）ＬＴＥを介したより良好なパケット交換（ＰＳ）セッションを保つことである。このＷＣＤＭＡ  ＣＳ登録からＣＳ通話の確立までの期間はかなりの時間になることがあり、したがってこの利点が相当に大きなものになることがある。
【００７１】
上記のことに関して、携帯電話を所有している人の大部分は、接続されている時間全体の小さな部分だけしか通話に関わっていない。しかしながら、ｉＰｈｏｎｅ、ＨＴＣ  Ｈｅｒｏ、ＳｏｎｙＥｒｉｃｓｓｏｎ  Ｘｐｅｒｉａ  Ｘ１０などのようなスマートフォンを考えてみると、このような電話機は、パケット交換（ＰＳ）セッションにはほぼ常に接続されているが、音声通話にはめったに接続されない。したがって、本明細書に開示した技術の利点は、ほとんどの時間、より良好なＰＳアクセスが保たれ、同時に音声アクセスが可能であることである。
【００７２】
ＷＣＤＭＡに一時的に移動している無線端末に関して、ＬＴＥカバレージが検出されている場合、その無線端末は、３ＧＰＰ  ＴＳ  ２３．４０１、Ｇｅｎｅｒａｌ  Ｐａｃｋｅｔ  Ｒａｄｉｏ  Ｓｅｒｖｉｃｅ  （ＧＰＲＳ）  ｅｎｈａｎｃｅｍｅｎｔｓｆｏｒ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）ａｃｃｅｓｓ（Ｒｅｌｅａｓｅ  ８）（５．３．３章“Ｓ４−ＳＧＳＮ”ｔｏ  ＭＭＥおよびＡｎｎｅｘ  Ｄ．３．６“Ｇｎ／Ｇｐ  ＳＧＳＮ  ｔｏ  ＭＭＥ”Ｔｒａｃｋｉｎｇ  Ａｒｅａ  Ｕｐｄａｔｅ）（その内容は参照により本明細書に組み込まれている）に定義されているとおりに、ＬＴＥにおいてトラッキングエリア更新を実行するが、その無線端末は依然としてＷＣＤＭＡにおいてＣＳ登録されているため、ＷＣＤＭＡにおいてＣＳ音声ページングがないか監視し続ける。ＷＣＤＭＡにおいて接続されており、ＬＴＥカバレージを検出しているとき、モビリティマネージメントエンティティ（ＭＭＥ）は、３ＧＰＰ  ＴＳ  ２３．４０１に記載されているとおり、トラッキングエリア更新を取り扱うネットワークノードである。
【００７３】
したがって、本明細書に開示した技術を使用すると、ＣＳ音声通話が可能な装置は、有利にも、ＷＣＤＭＡにおいて回線交換（ＣＳ）登録を実施している間、ＬＴＥアクセスを介したパケット交換（ＰＳ）サービスを使用し続けることができる。
【００７４】
以上の説明は多くの具体的な詳細を含むが、それらが本発明の範囲を限定すると解釈すべきではなく、それらは単に、現時点における本発明の好ましい実施形態のうちのいくつかの実施形態の例を提供しているに過ぎないと解釈すべきである。したがって、本発明の範囲は、当業者には明白であることがある他の実施形態を完全に包含すること、および本発明の範囲はしたがって過度に限定されないことが理解されよう。ある要素を単数の形で示すとき、その要素が単数であると明示されていない限りにおいて、これは「１つだけ」を意味せず、むしろ「１つまたは複数の」を意味する。当業者に知られている前述の好ましい実施形態の諸要素の構造的、化学的および機能的等価物は全て、本発明に明白に含まれ、包含されることが意図されている。さらに、ある装置または方法を本発明に包含するのに、その装置または方法が、本発明が解決しようとするあらゆる課題に対処する必要は必ずしもない。
【図１Ａ】
2013514702.tif 000003
【図１Ｂ】
2013514702.tif 000004
【図２】
2013514702.tif 000005
【図３】
2013514702.tif 000006
【図４】
2013514702.tif 000007
【図５】
2013514702.tif 000008
【図６】
2013514702.tif 000009
【図７】
2013514702.tif 000010
【図８】
2013514702.tif 000011
【図９】
2013514702.tif 000012
【図１０】
2013514702.tif 000013
【図１１】
2013514702.tif 000014
【図１２】
2013514702.tif 000015
【図１３】
2013514702.tif 000016
【図１４】
2013514702.tif 000017
【図１５】
2013514702.tif 000018
【国際調査報告】
2013514702.tif 000019
2013514702.tif 000020
2013514702.tif 000021